(57)【要約】      （修正有）【課題】適切な厚みの台座を提供することが可能な雛道具の収容箱を提供する。【解決手段】収容箱１０は、開口部１８が形成され、開口部１８に雛道具が収容された箱本体１２と、箱本体１２において開口部１８側に嵌め込まれ、箱本体１２から取り外されたときに雛道具２０の一部が載置可能な台座となる第一蓋１４と、箱本体１２において開口部１８側とは反対側にある底面側に嵌め込まれ、箱本体１２から取り外されたときに雛道具２０の残りが載置可能な台座となる第二蓋１６と、を備える。【選択図】図２
0003232624.tif 000002
【実用新案登録請求の範囲】
【請求項１】
開口部が形成され、当該開口部に雛道具が収容された箱本体と、
前記箱本体において前記開口部側に嵌め込まれ、前記箱本体から取り外されたときに前記雛道具の一部が載置可能な台座となる第一蓋と、
前記箱本体において前記開口部側とは反対側にある底面側に嵌め込まれ、前記箱本体から取り外されたときに前記雛道具の残りが載置可能な台座となる第二蓋と、
を備える雛道具の収容箱。
【請求項２】
前記第一蓋の角部及び前記第二蓋の角部は、面取りされている、
請求項１に記載の雛道具の収容箱。
【請求項３】
前記第一蓋の厚み及び前記第二蓋の厚みはそれぞれ、前記箱本体の厚みの半分以下とされている、
請求項２に記載の雛道具の収容箱。
【請求項４】
前記第一蓋の一面は、内裏雛の一方のみが載置可能なサイズで形成されており、
前記第二蓋の一面は、内裏雛の他方のみが載置可能なサイズで形成されている、
請求項３に記載の雛道具の収容箱。
【考案の詳細な説明】
【技術分野】
【０００１】
本考案は、雛道具の収容箱に関する。
【背景技術】
【０００２】
従来から、雪洞や桜橘等の雛道具を収容する収容箱が知られている。
【０００３】
ここで、雛道具は、例えば立春頃に収容箱から取り出されて、内裏雛（雛人形のペア）とともに台座に載置され飾られることになる。しかしながら、従来では、台座を別途用意する必要があり、雛人形の一式が大型化する要因となっていた。
【０００４】
これに関して、特許文献１には、裏返されて台座となった箱本体の底板上にて、飾り物（雛道具）が載置される技術が開示されている。
【先行技術文献】
【特許文献】
【０００５】
【特許文献１】特許第６８３１１３１号公報
【考案の概要】
【考案が解決しようとする課題】
【０００６】
しかしながら、特許文献１に記載の技術では、箱本体の底板を台座としているので、雛道具が大きい場合、その収容部である箱本体の厚みが増して、台座として適さない場合があった。
【０００７】
本考案はこのような課題に鑑みてなされたものであり、その目的は、適切な厚みの台座を提供することが可能な雛道具の収容箱を提供することにある。
【課題を解決するための手段】
【０００８】
本考案の第一態様に係る雛道具の収容箱は、開口部が形成され、当該開口部に雛道具が収容された箱本体と、前記箱本体において前記開口部側に嵌め込まれ、前記箱本体から取り外されたときに前記雛道具の一部が載置可能な台座となる第一蓋と、前記箱本体において前記開口部側とは反対側にある底面側に嵌め込まれ、前記箱本体から取り外されたときに前記雛道具の残りが載置可能な台座となる第二蓋と、を備える。
【０００９】
また、本考案の第二態様に係る雛道具の収容箱では、前記第一蓋の角部及び前記第二蓋の角部は、面取りされている。
【００１０】
また、本考案の第三態様に係る雛道具の収容箱では、前記第一蓋の厚み及び前記第二蓋の厚みはそれぞれ、前記箱本体の厚みの半分以下とされている。
【００１１】
また、本考案の第三態様に係る雛道具の収容箱は、前記第一蓋の一面は、内裏雛の一方のみが載置可能なサイズで形成されており、前記第二蓋の一面は、内裏雛の他方のみが載置可能なサイズで形成されている。
【考案の効果】
【００１２】
本考案によれば、適切な厚みの台座を提供することが可能な雛道具の収容箱を提供することができる。
【図面の簡単な説明】
【００１３】
【図１】本考案の実施形態に係る雛道具の収容箱の全体斜視図である。
【図２】本考案の実施形態に係る雛道具の収容箱において上蓋を開けた状態を示す図である。
【図３】本考案の実施形態に係る雛道具の収容箱の上蓋と下蓋を台座に使用して内裏雛と雛道具を飾った様子を示す図である。
【考案を実施するための形態】
【００１４】
図１は、本考案の実施形態に係る雛道具の収容箱の全体斜視図である。また、図２は、本考案の実施形態に係る雛道具の収容箱において上蓋を開けた状態を示す図である。
【００１５】
図１に示すように、収容箱１０は、箱本体１２と、第一蓋としての上蓋１４と、第二蓋としての下蓋１６と、を備える。
【００１６】
図２に示すように、箱本体１２は、例えば高さ（厚さ）が他の辺よりも短い四角柱の形状である。この箱本体１２には、当該箱本体１２の底面と対向する面において開口部１８が形成され、当該開口部１８に複数の雛道具２０が収容されている。
【００１７】
上蓋１４は、箱本体１２において開口部１８側に嵌め込まれ、箱本体１２から取り外されたときに雛道具２０の一部が載置可能な台座となる。また、この上蓋１４の角部１４Ａは面取りされている。また、上蓋１４の厚みは、箱本体１２の厚み（高さ）の半分以下とされている。好ましくは、上蓋１４の厚みは、箱本体１２の厚み（高さ）の１／３以下とされている。
【００１８】
下蓋１６は、箱本体１２において開口部１８側とは反対側にある底面側に嵌め込まれ、箱本体１２から取り外されたときに雛道具２０の残りが載置可能な台座となる。また、この下蓋１６の角部１６Ａは面取りされている。また、下蓋１６の厚みは、箱本体１２の厚み（高さ）の半分以下とされている。好ましくは、下蓋１６の厚みは、箱本体１２の厚み（高さ）の１／３以下とされている。
【００１９】
図３は、本考案の実施形態に係る収容箱１０の上蓋１４と下蓋１６を台座３０に使用して内裏雛３２と雛道具２０を飾った様子を示す図である。
【００２０】
図３に示すように、上蓋１４と下蓋１６が横に並べられて一つの台座３０とされている。そして、台座３０の上には、収容箱１０に収容されていた雛道具２０と、内裏雛３２と、が載置されている。ここで、台座３０の一部となる上蓋１４の一面は、内裏雛３２の一方のみが載置可能なサイズで形成されており、また台座３０の一部となる下蓋１６の一面は、内裏雛３２の他方のみが載置可能なサイズで形成されている。
【００２１】
以上、本考案の実施形態では、開口部１８が形成され、当該開口部１８に雛道具２０が収容された箱本体１２と、箱本体１２において開口部１８側に嵌め込まれ、箱本体１２から取り外されたときに雛道具２０の一部が載置可能な台座３０となる上蓋１４と、箱本体１２において開口部１８側とは反対側にある底面側に嵌め込まれ、箱本体１２から取り外されたときに雛道具２０の残りが載置可能な台座３０となる下蓋１６と、を備える。
この構成によれば、適切な厚みの台座３０を提供することが可能な雛道具２０の収容箱１０を提供することができる。
【００２２】
なお、本考案は、上記した実施形態に限定されるものではなく、この考案の主旨を逸脱しない範囲で自由に変更できることは勿論である。あるいは、技術的に矛盾が生じない範囲で各々の構成を任意に組み合わせてもよい。
【符号の説明】
【００２３】
１０    ：収容箱
１２    ：箱本体
１４    ：上蓋（第一蓋）
１４Ａ  ：角部
１６    ：下蓋（第二蓋）
１６Ａ  ：角部
１８    ：開口部
２０    ：雛道具
３０    ：台座
３２    ：内裏雛
【図１】
0003232624.tif 000003
【図２】
0003232624.tif 000004
【図３】
0003232624.tif 000005